(57)【要約】【課題】ピックアップベースの副軸部をコ字状に形成したり、副軸バネを設けたりすることなく、副軸部の上下振動を抑制する。【解決手段】光ピックアップユニット１は、光ディスクの記録・再生をするための光ピックアップ１０と、ベースフレーム上に設けられたステッピングモータと、ステッピングモータにより回転させられるリードスクリュー２と、ピックアップベース１２を移動方向に案内する第１および第２のガイドロッド３、４と、その一端側で固定手段７を介してピックアップベース１２に固定され、他端側にリードスクリュー２の溝と係合する係合部５２を有し、リードスクリュー２の回転により、ピックアップベース１２を移動させるラックバネ５と、第２のガイドロッド４に当接する当接片１３とを備え、ラックバネ５は、当接片１３が第２のガイドロッド４に当接する方向にピックアップベース１２を付勢する。【選択図】図１
2008165936.tif 000002
【特許請求の範囲】
【請求項１】
光ディスク装置に用いられる光ピックアップユニットであって、ベースフレームと、該ベースフレーム上に設けられ、前記光ディスク装置に装填された光ディスクを回転させる回転駆動機構と、前記装填された光ディスクの所定の半径方向に移動可能となるように、前記ベースフレーム上に設けられ、該光ディスクの記録・再生をするための光ピックアップとを有する光ピックアップユニットにおいて、
前記ベースフレーム上に設けられたステッピングモータと、
前記光ピックアップの移動方向に平行に設けられ、前記ステッピングモータにより回転させられるリードスクリューと、
前記リードスクリューと平行に離間して前記ベースフレーム上にそれぞれ配設され、前記光ピックアップのピックアップベースを前記移動方向に案内する第１および第２のガイドロッドと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの前記リードスクリューとは反対側の端部に設けられ、前記第２のガイドロッドに当接する当接部とを備え、
前記ラックバネは、前記ピックアップベースの当接部が前記第２のガイドロッドに当接する方向に前記ピックアップベースを付勢するよう設けられていることを特徴とする光ピックアップユニット。
【請求項２】
光ディスク装置に用いられる光ピックアップユニットであって、ベースフレームと、該ベースフレーム上に設けられ、前記光ディスク装置に装填された光ディスクを回転させる回転駆動機構と、前記装填された光ディスクの所定の半径方向に移動可能となるように、前記ベースフレーム上に設けられ、該光ディスクの記録・再生をするための光ピックアップとを有する光ピックアップユニットにおいて、
前記ベースフレーム上に設けられたステッピングモータと、
前記光ピックアップの移動方向に平行に設けられ、前記ステッピングモータにより回転させられるリードスクリューと、
前記リードスクリューと平行に前記ベースフレーム上に配設され、前記光ピックアップのピックアップベースを前記光ピックアップの移動方向に案内するガイドロッドと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの前記リードスクリューとは反対側の端部に設けられ、前記ベースフレームに当接する当接部とを備え、
前記ラックバネは、前記ピックアップベースの当接部が前記ベースフレームに当接する方向に前記ピックアップベースを付勢するよう設けられていることを特徴とする光ピックアップユニット。
【請求項３】
前記当接部は、前記ピックアップベースに対する前記ラックバネが取り付けられている位置に応じて、前記第２のガイドロッドあるいは前記ベースフレームに対して上方または下方から当接する請求項１または２に記載の光ピックアップユニット。
【請求項４】
前記ラックバネには、前記固定手段と前記係合部との間にバネ定数を変更するための開口部が形成されている請求項１ないし３のいずれかに記載の光ピックアップユニット。
【請求項５】
前記ラックバネは、前記固定手段と前記係合部との間に段差を有している請求項１ないし４のいずれかに記載の光ピックアップユニット。
【請求項６】
所定間隔で平行に設けられた第１および第２のガイドロッドに案内され、装填された光ディスクの所定の半径方向に移動可能なピックアップベースを有し、前記光ディスクの記録・再生をするための光ピックアップと、
前記第１のガイドロッドと間隔をおいて平行に設けられ、ステッピングモータにより回転させられるリードスクリューと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの前記リードスクリューとは反対側の端部に設けられ、前記第２のガイドロッドに当接する当接部とを備え、
前記ラックバネは、前記ピックアップベースの当接部が前記第２のガイドロッドに当接する方向に前記ピックアップベースを付勢するよう設けられていることを特徴とする光ピックアップ機構。
【発明の詳細な説明】
【技術分野】
【０００１】
本発明は、光ディスクを駆動する光ディスク装置に用いられる光ピックアップユニットおよび光ピックアップ機構に関する。
【背景技術】
【０００２】
ＤＶＤ等の大容量の光ディスクを駆動する光ディスク装置では、記録密度がＣＤ−Ｒ等と比べて大きいため、サーチ動作時等に光ピックアップを高速で移動させることが必要である。そのため、光ディスクの所定の半径方向（通常、光ディスク装置を平面視したときの長手方向）に光ピックアップを移動させる送り機構は、リードスクリューを回転駆動する手段として、従来のＤＣモータに代えて、ステッピングモータを用いるのが主流となっている。
【０００３】
ここで、リードスクリューは、光ディスク装置の光ピックアップユニットあるいは光ピックアップ機構に対し、光ディスクの半径方向に光ピックアップを移動させるための係合溝を備えている。光ピックアップのピックアップベースに固定されたラックバネのラックの係合部とリードスクリューの係合溝とが係合している状態で、ステッピングモータがリードスクリューを回転させることにより、光ピックアップを光ディスクの半径方向に移動させることができる（例えば、特許文献１参照）。
【０００４】
ラックバネにおいてラックが設けられた一端側と反対の他端側は、ネジ等の固定手段を介してピックアップベースに固定されており、ステッピングモータのリードスクリューに荷重（バネ圧）を加える構造となっている。
【０００５】
ところで、ピックアップベースを案内するガイドロッドとしては、光ピックアップをリードスクリューと平行に移動するために、リードスクリュー近傍に位置する主軸ガイドロッドと、この主軸ガイドロッドと離間してリードスクリューとは反対側に位置する副軸ガイドロッドとが設けられている。なお、副軸ガイドロッドの代わりに、光ピックアップユニットのフレームであるベースフレームの一部を利用する場合もある。
【０００６】
この場合、光ピックアップのピックアップベースの副軸ガイドロッドあるいはベースフレームに当接する部分（以下、代表的に、「副軸部」という）には、ラックバネのような副軸ガイドロッド等に光ピックアップを押さえる手段がなく、単に当接しているだけでは、小さな振動や衝撃でも副軸部が上下に揺れ、それに伴って、光ピックアップが振動して、データの読み取りや書き込み時にエラーを発生する可能性がある。このため、光ピックアップの移動方向に垂直な断面がコ字状となるように副軸部を形成するか（特許文献１の図５参照）、あるいは、副軸ガイドロッド等を介して副軸部と対向する位置であって、光ピックアップの移動方向に多少ずれた位置に、副軸バネを設けることにより、副軸部が上下に振動しないように規制している。
【０００７】
【特許文献１】特開２００２−３６７３０３号公報
【発明の開示】
【発明が解決しようとする課題】
【０００８】
しかしながら、副軸部をコ字状に形成する場合には、副軸ガイドロッドとの関係で、寸法精度が問題となることがあり、また、副軸バネを設ける場合には、主軸側にも副軸側にもバネを用い、部材が増えてしまうという問題がある。そして、これらのために、製造コストを低減することができないという問題がある。
【０００９】
したがって、本発明は、ピックアップベースの副軸部をコ字状に形成したり、また、副軸バネを設けたりすることなく、副軸側の上下振動を抑制することができる光ピックアップユニットおよび光ピックアップ機構を提供することを目的とする。
【課題を解決するための手段】
【００１０】
上記目的を達成するべく、本発明の光ピックアップユニットは、一実施形態において、光ディスク装置に用いられる光ピックアップユニットであって、ベースフレームと、該ベースフレーム上に設けられ、前記光ディスク装置に装填された光ディスクを回転させる回転駆動機構と、前記装填された光ディスクの所定の半径方向に移動可能となるように、前記ベースフレーム上に設けられ、該光ディスクの記録・再生をするための光ピックアップとを有する光ピックアップユニットにおいて、
前記ベースフレーム上に設けられたステッピングモータと、
前記光ピックアップの移動方向に平行に設けられ、前記ステッピングモータにより回転させられるリードスクリューと、
前記リードスクリューと平行に離間して前記ベースフレーム上にそれぞれ配設され、前記光ピックアップのピックアップベースを前記移動方向に案内する第１および第２のガイドロッドと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの前記リードスクリューとは反対側の端部に設けられ、前記第２のガイドロッドに当接する当接部とを備え、
前記ラックバネは、前記ピックアップベースの当接部が前記第２のガイドロッドに当接する方向に前記ピックアップベースを付勢するよう設けられていることを特徴とする。
【００１１】
また、本発明の光ピックアップユニットは、別の実施形態において、光ディスク装置に用いられる光ピックアップユニットであって、ベースフレームと、該ベースフレーム上に設けられ、前記光ディスク装置に装填された光ディスクを回転させる回転駆動機構と、前記装填された光ディスクの所定の半径方向に移動可能となるように、前記ベースフレーム上に設けられ、該光ディスクの記録・再生をするための光ピックアップとを有する光ピックアップユニットにおいて、
前記ベースフレーム上に設けられたステッピングモータと、
前記光ピックアップの移動方向に平行に設けられ、前記ステッピングモータにより回転させられるリードスクリューと、
前記リードスクリューと平行に前記ベースフレーム上に配設され、前記光ピックアップのピックアップベースを前記光ピックアップの移動方向に案内するガイドロッドと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの前記リードスクリューとは反対側の端部に設けられ、前記ベースフレームに当接する当接部とを備え、
前記ラックバネは、前記ピックアップベースの当接部が前記ベースフレームに当接する方向に前記ピックアップベースを付勢するよう設けられていることを特徴とする。
【００１２】
本発明の光ピックアップユニットでは、いずれの実施形態においても、前記当接部は、前記ピックアップベースに対する前記ラックバネが取り付けられている位置に応じて、前記第２のガイドロッドあるいは前記ベースフレームに対して上方または下方から当接するのが好ましい。
【００１３】
また、本発明の光ピックアップユニットでは、いずれの実施形態においても、前記ラックバネには、前記固定手段と前記係合部との間にバネ定数を変更するための開口部が形成されていてもよい。
【００１４】
さらに、本発明の光ピックアップユニットでは、いずれの実施形態においても、前記ラックバネは、前記固定手段と前記係合部との間に段差を有していてもよい。
【００１５】
また、本発明の光ピックアップ機構は、一実施形態において、所定間隔で平行に設けられた第１および第２のガイドロッドに案内され、装填された光ディスクの所定の半径方向に移動可能なピックアップベースを有し、前記光ディスクの記録・再生をするための光ピックアップと、
前記第１のガイドロッドと間隔をおいて平行に設けられ、ステッピングモータにより回転させられるリードスクリューと、
その一端側で固定手段を介して前記ピックアップベースに固定されるとともに、他端側に前記リードスクリューの溝と係合する係合部を有し、前記リードスクリューの回転により、前記ピックアップベースを前記光ピックアップの移動方向に移動させるラックバネと、
前記ピックアップベースの前記リードスクリューとは反対側の端部に設けられ、前記第２のガイドロッドに当接する当接部とを備え、
前記ラックバネは、前記ピックアップベースの当接部が前記第２のガイドロッドに当接する方向に前記ピックアップベースを付勢するよう設けられていることを特徴とする。
【発明の効果】
【００１６】
本発明によれば、光ピックアップユニットまたは光ピックアップ機構において、ピックアップベースの副軸部をコ字状に形成したり、また、副軸バネを設けたりすることなく、すなわち、製造コストを抑制しつつ、副軸部が上下に振動するのを規制することができる。
【発明を実施するための最良の形態】
【００１７】
以下、本発明の光ピックアップユニットおよび光ピックアップ機構の好適な実施の形態を添付図面を参照しつつ詳細に説明する。
【００１８】
まず、本発明の光ピックアップユニットの構成を説明する。図１は、本発明の一実施形態における光ピックアップユニットの主要部を示す平面図であり、図２は、図１に示す光ピックアップユニットの主要部の断面図である。本発明の光ピックアップユニット１は、ＣＤ−ＲＯＭ、ＣＤ−Ｒ、ＤＶＤ−ＲＯＭ、ＤＶＤ−Ｒ等の光ディスク（図示せず）を再生し、あるいは記録・再生するドライブ装置である光ディスク装置に用いられ、いわゆるトラバース機構を含むものである。
【００１９】
光ピックアップユニット１は、図示しないベースフレームと、このベースフレーム上に設けられ、光ディスク装置に装填された光ディスクを回転させる回転駆動機構（図示せず）と、装填された光ディスクの所定の半径方向（本実施形態では、後述する光ピックアップ１０の移動方向）に移動可能となるように、ベースフレーム上に設けられ、光ディスクの記録・再生をするための光ピックアップ１０とを備えている。
【００２０】
また、光ピックアップユニット１は、図１に示すように、ベースフレーム上に設けられたステッピングモータ（図１では図示していないが、本実施形態では、リードスクリュー２の一端に連結されている）と、光ピックアップ１０の移動方向（図１では、紙面において上下方向）に平行に設けられ、ステッピングモータにより回転させられるリードスクリュー２と、リードスクリュー２と平行にベースフレーム上に配設され、光ピックアップ１０のピックアップベース１２を光ピックアップ１０の移動方向に案内する第１および第２のガイドロッド（主軸ガイドロッドおよび副軸ガイドロッドともいう）３、４と、その一端側で固定手段７を介してピックアップベース１２に固定されるとともに、他端側にリードスクリュー２の係合溝２１と係合するラック５１を有し、リードスクリュー２の回転により、ピックアップベース１２を光ピックアップ１０の移動方向に移動させるラックバネ５とを備えている。
【００２１】
なお、図１では図示していないが、リードスクリュー２には、ラックバネ５のラック５１の底面に設けられた係合部５２と係合するように、螺旋状に係合溝２１が設けられている（図２参照）。また、図１から明らかなように、リードスクリュー２近傍に位置するガイドロッドが第１のガイドロッド（主軸ガイドロッド）３であり、この主軸ガイドロッド３と離間してリードスクリューとは反対側に位置するガイドロッドが第２のガイドロッド（副軸ガイドロッド）４である。
【００２２】
光ピックアップ１０は、この図１に示すように、平面視で概ね中央部に対物レンズ１１を有するとともに、そのフレームとなるピックアップベース１２と、ピックアップベース１２のリードスクリュー２とは反対側の端部に設けられ、第２のガイドロッド４に当接する副軸部（当接部）１３とを有する。この副軸部１３は、図２に示すように、ピックアップベース１２の主面に対し垂直に上方から副軸ガイドロッド４に当接する当接片１３から構成される。以下、副軸部１３を当接片１３として、本発明の一実施形態を詳細に説明する。
【００２３】
なお、この副軸部１３は、本実施形態では、副軸ガイドロッド４に当接しているため、副軸部と称するが、ピックアップベース１２から延出する当接片１３は、第２のガイドロッド４の代わりに（第２のガイドロッドを省略して）ベースフレームの一部に当接するようにしてもよい。この場合であっても、上述のような本発明の効果を奏することができる。
【００２４】
ラックバネ５は、所定範囲の荷重トルク（バネ圧）でラック５１をリードスクリュー２に圧接するものである。ラック５１のリードスクリュー２への圧接位置とは概ね反対の位置には、図示しないが、ピックアップベース１２から延出してリードスクリュー２の下側と当接する当接部が設けられていてもよい。また、リードスクリュー２は、図示しないベースフレームあるいはシャーシに回転自在に支持されており、その一端側では、ギヤ（図示せず）を介して図示しないステッピングモータが連結されている。
【００２５】
そして、図示しないステッピングモータの回転駆動がギヤを介してリードスクリュー２に伝達されることにより、リードスクリュー２は回転する。リードスクリュー２が回転すると、ラック５１の係合部５２がリードスクリュー２の係合溝２１に沿って移動し、この移動により、ピックアップベース１２は、主軸および副軸ガイドロッド３、４に案内されて、光ピックアップ１０の移動方向に移動させられる。
【００２６】
本発明の光ピックアップユニット１では、図２に示すように、リードスクリュー２をラックバネ５のラック５１で矢印Ｘの方向に付勢すると、すなわち、矢印Ｘの方向にラックバネ５の荷重がかかると、ラックバネ５の他端側で固定手段７を介してピックアップベース１２にラックバネ５の反力が付与され、主軸ガイドロッド３を支点としてピックアップベース１２の他端側に下向きの力が働く。すなわち、ラックバネ５の反力により、ピックアップベース１２の他端側にある当接片１３に矢印Ｙの方向の力が働き、当接片１３が副軸ガイドロッド４（ベースフレームの一部でもよい）に押圧される。このように、本発明の光ピックアップユニット１では、ラックバネ５がピックアップベース１２の当接片１３が副軸ガイドロッド４に当接する方向にピックアップベース１２を付勢するよう設けられているので、ピックアップベース１２の副軸部を副軸ガイドロッド４あるいはベースフレームの一部と係合するようにコ字状に形成したり、また、副軸ガイドロッド４あるいはベースベースフレームの一部を当接片１３とは反対方向から押さえつける副軸バネを設けたりすることなく、副軸側の上下振動を抑制することができる。
【００２７】
ここで、本実施形態では、固定手段７を主軸ガイドロッド３上に設けるとピックアップベース１２の副軸側にラックバネ５の反力を加えられないので、図１に示すように、ラックバネ５は、主軸ガイドロッド３よりも対物レンズ１１側にずれた位置で固定手段７を介してピックアップベース１２に固定されている。このピックアップベース１２に対する固定手段７の位置により、当接片１３の副軸ガイドロッド４に対する押圧力を調整することができる。
【００２８】
また、本実施形態では、ラックバネ５には、固定手段７とラック５１との間にラックバネ５のバネ定数を変更するための開口部８が形成されている。この開口部８を設けることにより、ラックバネ５のバネ定数を下げることができる。なお、開口部８は、図１において、ラックバネ５の幅が狭い箇所に設けるべきではない。このような箇所に開口部８を設けると、ラックバネ５にねじれが生じる可能性があるからである。また、開口部８は、ラックバネ５のバネ定数に応じて、設けなくてもよい。
【００２９】
次に、本発明の光ピックアップユニット１の変形例について詳細に説明する。
図３は、別の実施形態における光ピックアップユニット１の主要部の断面図であり、図４は、さらに別の実施形態における光ピックアップユニット１の主要部の断面図である。
【００３０】
この変形例にかかる光ピックアップユニット１では、図３に示すように、ラックバネ５の荷重方向を上述の実施形態とは逆、すなわち、ラック５１が下方からリードスクリュー２に当接するようになっている。このように構成した場合には、ラックバネ５の反力が主軸ガイドロッド３を支点としてピックアップベース１２の他端側に上向きの力が働き、ラックバネ５の反力が当接片１３を介して副軸ガイドロッド４に作用する。このような構成によっても、上述の実施形態と同様の効果を奏することができる。なお、この変形例の場合も、ラックバネ５は、主軸ガイドロッド３よりも対物レンズ１１側にずれた位置で固定手段７を介してピックアップベース１２に固定されている。
【００３１】
また、図４に示すように、固定手段７とラック５１との間に段差５３を設けたラックバネ５Ａを用いた場合であっても、ラックバネ５の反力が当接片１３を介して副軸ガイドロッド４に作用する限り、上述の実施形態と同様の効果を奏することができる。なお、この場合には、主軸および副軸ガイドロッド３、４が設けられている高さ方向の位置とリードスクリュー２の高さ方向の位置にそれ程差を設ける必要がないので、光ピックアップユニット１の高さ方向においてその寸法をコンパクトにすることができる。ラックバネ５は、主軸ガイドロッド３よりも対物レンズ１１側にずれた位置で固定手段７を介してピックアップベース１２に固定されている。
【００３２】
また、この図４の構成によれば、段差により寸法精度をラフにしてクリアランスを設けることができるので、落下などの大きな振動や衝撃が荷重方向と反対に加わった場合であってもラックバネの塑性限度を超えることがない。
【００３３】
次に、本発明の光ピックアップ機構について詳細に説明する。なお、各構成要素について、上記実施形態の構成要素と同様のものについては、図１に示す各構成要素と同一の符号を用いて説明し、その詳細な説明を省略する。
【００３４】
本発明の光ピックアップ機構は、図示しない光ディスク装置内に含まれる光ピックアップを駆動（移動、再生、記録等）する機構であり、この場合、光ディスク装置と一体的に構成されるものである。
【００３５】
この光ピックアップ機構は、所定間隔で平行に設けられた第１のガイドロッド（主軸ガイドロッド）３および第２のガイドロッド（副軸ガイドロッド）４に案内され、装填された光ディスクの所定の半径方向（図１において、上下方向）に移動可能なピックアップベース１２を有し、光ディスクの記録・再生をするための光ピックアップ１０と、主軸ガイドロッド３と間隔をおいて平行に設けられ、ステッピングモータ（図示せず）により回転させられるリードスクリュー２と、その一端側で固定手段７を介してピックアップベース１２に固定されるとともに、他端側にリードスクリュー２の係合溝２１と係合する係合部５２（ラック５１）を有し、リードスクリュー２の回転により、ピックアップベース１２を光ピックアップ１０の移動方向に移動させるラックバネ５と、ピックアップベース１２のリードスクリュー２とは反対側の端部に設けられ、副軸ガイドロッド４に当接する当接片１３とを備えている。なお、この光ピックアップ機構においても、リードスクリュー２側に位置するガイドロッドが第１のガイドロッド（主軸ガイドロッド）３であり、リードスクリュー２に対し、第１のガイドロッド３より離れた位置に位置するガイドロッドが第２のガイドロッド（副軸ガイドロッド）４である。
【００３６】
本発明の光ピックアップ機構では、ラックバネ５は、上述した実施形態と同様に、ピックアップベース１２の当接片１３が副軸ガイドロッド４に当接する方向にピックアップベース１２を付勢するよう設けられている。これにより、上述のような光ピックアップユニット１と同様の本発明の効果を奏することができる。
【００３７】
なお、光ピックアップユニット１の場合と同様に、当接片１３は、副軸ガイドロッド４の代わりに、ベースフレームの一部（シャーシの一部）に当接してもよい。また、ラックバネ５は、上述のような開口部８や段差５３を有していてもよい。さらに、ラック５１がリードスクリュー２を付勢する方向は、上下いずれであってもよい。
【００３８】
以上、本発明の光ピックアップユニットおよび光ピックアップ機構を図示の各実施形態に基づいて説明したが、本発明は、これに限定されるものではなく、光ピックアップユニットあるいは光ピックアップ機構を構成する各部は、同様の機能を発揮し得る任意の構成のものと置換することができる。また、任意の構成物が付加されていてもよい。
【産業上の利用可能性】
【００３９】
本発明の光ピックアップユニットおよび光ピックアップ機構は、特に、ＤＶＤ等の高密度な光ディスクの再生・記録を行うための、ステッピングモータ、リードスクリューおよびラックバネを備える光ディスク装置、あるいはそのような光ディスク装置のトラバース機構に用いて、副軸部をコ字状に形成したり、副軸バネを用いたりすることなく、ラックバネにより副軸部を付勢することができるので、産業上の利用可能性を有する。
【図面の簡単な説明】
【００４０】
【図１】本発明の一実施形態における光ピックアップユニットの主要部を示す平面図である。
【図２】図１に示す光ピックアップユニットの主要部の断面図である。
【図３】別の実施形態における光ピックアップユニットの主要部の断面図である。
【図４】さらに別の実施形態における光ピックアップユニットの主要部の断面図である。
【符号の説明】
【００４１】
１      光ピックアップユニット
２      リードスクリュー
２１      係合溝
３      主軸ガイドロッド
４      副軸ガイドロッド
５、５Ａ      ラックバネ
５１      ラック
５２      係合部
５３      段差
７      固定手段
８      開口部
１０      光ピックアップ
１１      対物レンズ
１２      ピックアップベース
１３      当接片（副軸部）
【図１】
2008165936.tif 000003
【図２】
2008165936.tif 000004
【図３】
2008165936.tif 000005
【図４】
2008165936.tif 000006